(57)【要約】  データキャリア（７）用回路（８）は、比較的多量のエネルギを要する回路部（１２）と接触インターフェース（ＩＦ）（１１）の少なくとも一部を備え、該ＩＦを介し回路部（１２）に電気的エネルギが供給可能となる。回路部（１２）は、通常消費処理モードとこれに比べて少ないエネルギで済むエネルギ節約処理モードでデータ信号（ＤＳ１，ＤＳ２）を処理し、接触ＩＦ（１１）を介しエネルギが供給されている際にエネルギ節約処理モードに切り換わり可能で、供給可能な第１モード切換信号（ＭＣ１）を用いエネルギ節約処理モードから通常消費処理モードに切り換わり可能である。回路（８）は非接触ＩＦ（２３）の少なくとも一部も備え、これを介し回路（８）はキャリア信号（ＴＳ）を受信できる。回路（８）は、非接触ＩＦ（２３）を介しキャリア信号（ＴＳ）の受信を検出し該受信検出を受け第１モード切換信号（ＭＣ１）を回路部（１２）へ発生出力するモード切換信号発生手段（２４）も備える。
2007519296.tif 000002
【特許請求の範囲】
【請求項１】
データキャリアのための回路であって、 
当該回路は、接触インターフェースの少なくとも一部に接続するための端子を有し、この接触インターフェースを介して当該回路の回路部に電気的エネルギを供給することが可能であり、
当該回路は、前記回路部として、通常消費処理モード及びこの通常消費処理モードにおけるものよりも少ないエネルギで済むエネルギ節約処理モードにおいてデータ信号を処理するよう構成された回路部を有し、この回路部は、前記接触インターフェースを介してエネルギが供給されているときに前記エネルギ節約処理モードに切り換わることが可能で、供給可能な第１モード切換信号を用いて前記エネルギ節約処理モードから通常消費処理モードへ切り換わることが可能とされ、
当該回路は、非接触インターフェースの少なくとも一部に接続するための端子を有し、この非接触インターフェースを介してキャリア信号が当該回路により受信可能とされ、
当該回路は、前記非接触インターフェース及び前記回路部に接続され、前記非接触インターフェースを介して前記キャリア信号の受信を検出し前記キャリア信号の受信を検出したときに前記第１モード切換信号を発生しこの発生した第１モード切換信号を前記回路部に出力するように構成されるモード切換信号発生手段を有する、
データキャリアのための回路。
【請求項２】
請求項１に記載の回路であって、前記モード切換信号発生手段は、当該受信したキャリア信号が供給されることが可能なキャリア信号周波数検出段を有し、当該受信キャリア信号の周波数に応じて前記キャリア信号の受信を検出し前記キャリア信号の受信が検出されたことを示す指標信号を発生し出力するよう構成されるキャリア信号周波数検出段を有する、回路。
【請求項３】
請求項１に記載の回路であって、前記モード切換信号発生手段は、検出されている前記キャリア信号の受信の結果として、前記第１モード切換信号を表す割込信号を発生するように構成された割込信号発生段を有する、回路。
【請求項４】
請求項１に記載の回路であって、前記回路部は、これに供給されることの可能な第２モード切換信号を用いて、前記通常消費処理モードから前記エネルギ節約処理モードへスイッチ可能な態様で切り換わるように構成され、前記モード切換信号発生手段は、前記キャリア信号の受信状態から前記キャリア信号の非受信状態への受信状態変化を検出しこの受信状態変化の検出を受けて前記第２モード切換信号を発生し出力するよう構成される、回路。
【請求項５】
請求項４に記載の回路であって、前記モード切換信号発生手段は、待機時間の間に前記受信状態変化の検出の後に前記キャリア信号の新たな受信が検出できない場合に当該待機時間だけ遅延される態様で前記第２モード切換信号を出力するように構成される、回路。
【請求項６】
請求項１ないし５のうちいずれか１つに記載の回路を有するデータキャリア。
【請求項７】
データキャリアのための回路の処理モードを切り換える方法であって、 
前記回路は、接触インターフェースの少なくとも一部に接続するための端子と非接触インターフェースの少なくとも一部に接続するための端子とを有し、前記接触インターフェースを介して前記回路の回路部に電気的エネルギを供給することを可能とし、前記回路部は、前記接触インターフェースを介してエネルギが供給されているときに通常消費処理モード及びこの通常消費処理モードにおけるものよりも少ないエネルギで済むエネルギ節約処理モードにおいてデータ信号を処理するために用いられ、前記回路部は、前記接触インターフェースを介してエネルギが供給されているときにエネルギ節約処理モードに切り換わることが可能であり、前記回路部は、これに供給されることの可能な第１モード切換信号を用いて、前記エネルギ節約処理モードから前記通常消費処理モードへ切り換えられることが可能とされ、
当該方法は、
前記非接触インターフェースを介したキャリア信号を受信するステップと、
前記キャリア信号の受信を検出するステップと、
前記キャリア信号の受信の検出を受けて前記第１モード切換信号を発生するステップと、
その発生された第１モード切換信号を前記回路部へ出力するステップと、
を有する、
データキャリアのための回路の処理モードを切り換える方法。 
【請求項８】
請求項７に記載の方法であって、前記キャリア信号の受信は、前記キャリア信号の信号周波数に応じて検出され、前記キャリア信号の受信の検出は、指標信号により示される、方法。
【請求項９】
請求項７に記載の方法であって、前記キャリア信号の受信の検出を受けて前記第１モード切換信号を表す割込信号が発生される、方法。
【請求項１０】
請求項７に記載の方法であって、前記キャリア信号の受信状態から前記キャリア信号の非受信状態への受信状態変化が検出され、この受信状態変化の検出を受けて、第２モード切換信号が発生され前記回路部へ出力され、前記回路部は、前記第２モード切換信号に応じて前記通常消費処理モードから前記エネルギ節約処理モードに切り換えられる、方法。
【請求項１１】
請求項１０に記載の方法であって、待機時間の間に前記受信状態変化の検出の後に前記キャリア信号の新たな受信が検出されない場合に当該待機時間だけ遅延される態様で前記第２モード切換信号が出力される、方法。
【発明の詳細な説明】
【技術分野】
【０００１】
本発明は、データキャリアのための回路に関し、特に接触インターフェースの少なくとも一部と接続するための端子を有するデータキャリア用回路であって当該接触インターフェースを介して当該回路の回路部に電気エネルギを供給することが可能で、当該回路が通常消費処理モード及びエネルギ節約処理モードにおいてデータ信号を処理するように構成された回路部を有し、当該エネルギ節約処理モードにおいては通常消費処理モードよりも少ないエネルギで済むものとされ、当該回路部が当該接触インターフェースを介してエネルギ供給されているときにエネルギ節約処理モードに切り換わることが可能でかつ当該回路部に供給可能な第１モード切換信号を用いてエネルギ節約処理モードから通常消費処理モードへ切り換わることが可能であり、当該回路が非接触インターフェースの少なくとも一部との接続のための端子を有するものに関する。
【０００２】
本発明はまた、このような回路を有するデータキャリアに関する。
【０００３】
本発明はさらに、データキャリア向けの回路の処理モードを変える方法に関し、特に、当該回路が接触インターフェースの少なくとも一部との接続のための端子と非接触インターフェースの少なくとも一部との接続のための端子とを有し、当該接触インターフェースを介して当該回路の回路部に電気エネルギを供給することが可能で、当該回路部が当該接触インターフェースを介してエネルギが供給されているときに、通常消費処理モード及びエネルギ節約処理モードにおいてデータ信号を処理するために用いられ、当該エネルギ節約処理モードにおいて通常消費処理モードよりも少ないエネルギで済むものとされ、当該回路部が当該接触インターフェースを介してエネルギ供給されているときにエネルギ節約処理モードに切り換わることが可能でかつ当該回路部に供給可能な第１モード切換信号を用いてエネルギ節約処理モードから通常消費処理モードへ切り換わることが可能なものに関する。
【背景技術】
【０００４】
最初の段落に記述したタイプの回路及び第２の段落に記述したタイプのデータキャリア並びに第３の段落に記述したタイプの方法は、国際特許出願公開のＷＯ０２／５１１８３Ａ１から知られている。
【０００５】
この既知の回路を有する既知のデータキャリアは、その回路によって当該既知の方法が実行可能となっており、いわゆる「加入者識別モジュール」（subscriber identification module）又は移動電話機用のＳＩＭと呼ばれている。このＳＩＭは、移動電話機に配備され、当該ＳＩＭの接触インターフェースを介して移動電話機と電気的に接触させられる。当該移動電話機がオンに切り換えられると、ＳＩＭもまた当該接触インターフェースを介してエネルギが供給され、当該接触インターフェースの２つのコンタクトを介してＳＩＭに電源電圧が送られ、かかる電源電圧を当該移動電話機に含まれるバッテリにより発生するようにしている。そして、ＳＩＭに含まれ回路部を形成するマイクロコントローラは、リセット回路によりアクティブとされ、これにより、マイクロコントローラは、オペレーティングシステムを始動してプログラムを実行し、データ信号を処理するための活性化状態すなわち開始状態となる。ＳＩＭはさらに、キャリア信号を用いそのキャリア信号を発生するいわゆる読取局（reader station）と非接触通信を行うことを可能とする非接触インターフェースを有する。ＳＩＭ又はマイクロコントローラの開始状態では、エネルギ条件について異なる少なくとも２つの処理モード、すなわち通常消費処理モードと、この通常消費処理モードよりも要求されるエネルギの低い少なくとも１つのエネルギ節約処理モードとが可能である。この２つの処理モードは、上記文献には開示されていないが、いわゆるスリープモードにより、すなわちエネルギ節約処理モードにより、バッテリの性能及び当該電気回路のエネルギ消費に依存するバッテリ動作移動電話機の時間的に制限される利用可能性に積極的に影響を及ぼすように常に努力している当業者には知られている。かかるスリープモードにおいて、ＳＩＭは通常消費処理モードにおけるものよりも低いエネルギで済む。何故なら、スリープモードではマイクロコントローラはクロック信号が供給されないからである。しかし同時に、依然として接触インターフェースを介したエネルギ供給があり、マイクロコントローラ又は当該マイクロコントローラにより処理されるプログラム又は当該プログラムの実行中に生じるプログラムデータは、スリープモードからの起動の後に、すなわちエネルギ節約処理モードから通常消費処理モードへの切り換わりの後に、オペレーティングシステムを再開する必要なく、また場合によってはもう１度ユーザ識別をなすことを必要とすることなく、直ちに利用可能である。
【０００６】
この既知のデータキャリアの場合、エネルギ節約処理モードから通常消費処理モードへの立ち上がりが接触インターフェースを介した通信の結果としてのみ行うことができるので、例えば電子トラベルチケットシステムの一部として非接触インターフェースが用いられる場合、マイクロコントローラは、移動電話機によりユーザの手動による相互作用によって、例えばキーを押すことによって、例えば電子トラベルチケットがＳＩＭから記入され又はＳＩＭにクレジット処理される読取局により非接触通信を行うことが可能となる前に、常にそのスリープモードから立ち上げられなければならない。  
【発明の開示】
【発明が解決しようとする課題】
【０００７】
本発明の目的は、第１の段落に記述したタイプの回路、第２の段落に記述したタイプのデータキャリア及び第３の段落に記述したタイプの方法における上述した問題を回避することであり、改良したデータキャリアのための改良した回路、改良したデータキャリア及び改良した方法を提供することである。
【課題を解決するための手段】
【０００８】
上記目的を達成するため、本発明による特徴は、本発明による回路に設けられ、本発明による回路を次のように特徴づけることができるようにしている。
【０００９】
すなわち、データキャリアのための回路であって、 当該回路は、接触インターフェースの少なくとも一部に接続するための端子を有し、この接触インターフェースを介して当該回路の回路部に電気的エネルギを供給することが可能であり、  当該回路は、前記回路部として、通常消費処理モード及びこの通常消費処理モードにおけるものよりも少ないエネルギで済むエネルギ節約処理モードにおいてデータ信号を処理するよう構成された回路部を有し、この回路部は、前記接触インターフェースを介してエネルギが供給されているときに前記エネルギ節約処理モードに切り換わることが可能で、供給可能な第１モード切換信号を用いて前記エネルギ節約処理モードから通常消費処理モードへ切り換わることが可能とされ、  当該回路は、非接触インターフェースの少なくとも一部に接続するための端子を有し、この非接触インターフェースを介してキャリア信号が当該回路により受信可能とされ、当該回路は、前記非接触インターフェース及び前記回路部に接続され、前記非接触インターフェースを介して前記キャリア信号の受信を検出し前記キャリア信号の受信を検出したときに前記第１モード切換信号を発生しこの発生した第１モード切換信号を前記回路部に出力するように構成されるモード切換信号発生手段を有する、データキャリアのための回路である。
【００１０】
上記目的を達成するため、本発明によるデータキャリアは、本発明による回路が設けられる。
【００１１】
上記目的を達成するため、本発明による特徴が本発明による方法に設けられて本発明による方法を次のように特徴づけることができるようにしている。
【００１２】
すなわち、データキャリアのための回路の処理モードを切り換える方法であって、 前記回路は、接触インターフェースの少なくとも一部に接続するための端子と非接触インターフェースの少なくとも一部に接続するための端子とを有し、前記接触インターフェースを介して前記回路の回路部に電気的エネルギを供給することを可能とし、前記回路部は、前記接触インターフェースを介してエネルギが供給されているときに通常消費処理モード及びこの通常消費処理モードにおけるものよりも少ないエネルギで済むエネルギ節約処理モードにおいてデータ信号を処理するために用いられ、前記回路部は、前記接触インターフェースを介してエネルギが供給されているときにエネルギ節約処理モードに切り換わることが可能であり、前記回路部は、これに供給されることの可能な第１モード切換信号を用いて、前記エネルギ節約処理モードから前記通常消費処理モードへ切り換えられることが可能とされ、当該方法は、前記非接触インターフェースを介したキャリア信号を受信するステップと、前記キャリア信号の受信を検出するステップと、  前記キャリア信号の受信の検出を受けて前記第１モード切換信号を発生するステップと、その発生された第１モード切換信号を前記回路部へ出力するステップと、を有する、データキャリアのための回路の処理モードを切り換える方法である。
【００１３】
本発明による方策を備えることによって、当該回路部は、当該接触インターフェースを介した情報伝送（通信）を伴うことなくエネルギ節約処理モードから通常消費処理モードへ切り換わることができ、当該回路は、読取局の周辺のキャリア信号の存在範囲に持ち込むだけで済み、かかる存在範囲において、読取局により発生されたキャリア信号は、当該モード切換信号発生手段により評価可能な信号パラメータをもって存在する、という利点が得られる。
【００１４】
本発明による方策において、例えば、受信したキャリア信号から発生可能な電圧により、又は受信したキャリア信号から発生可能な電流によりキャリア信号の検出を行う形態を提供してもよい。但し、請求項２及び請求項８に記載された方策が付加的に設けられると特に有利であることが判明されている。結果として、情報伝送のためのキャリア信号の信号レベルが依然として比較的に低い場合でも比較的高い確実性をもってキャリア信号の検出が行われるという利点を奏する。
【００１５】
本発明による方策において、例えば、第１モード切換信号がアナログ信号又は信号列により表される形態を提供してもよい。但し、本発明による方策においては、請求項３及び請求項９に記載の方策が付加的に設けられると特に有利であることが判明されている。結果として、ちょうど当該第１モード切換信号があたかも接触インターフェースを介した情報伝送（通信）の過程において受信されたかのように当該第１モード切換信号を当該回路部において処理することができる、という利点を奏する。結果としてさらに、当該回路部における第１モード切換信号の処理にその重要性に対応する優先順位が割り当てられ、このときの優先順位が、ハードウェアを基礎とする割り込み序列の前後関係における他のソフトウェア制御型のデータ信号処理動作とは独立したものとされる。
【００１６】
さらに本発明による方策では、請求項４及び請求項１０に記載されるような方策が設けられると有利であることが判明されている。結果として、当該回路が当該キャリア信号の存在範囲から外れると当該回路部がそのエネルギ節約処理モードすなわちそのエネルギ節約スリープモードに再び置かれることが確実となる、という利点が得られる。
【００１７】
また本発明による方策では、請求項５及び請求項１１に記載されるような方策が設けられると有利であることが判明されている。結果として、キャリア信号の短期間の非利用可能性の場合、すなわち、当該回路が例えば当該キャリア信号の存在範囲の縁端領域において用いられる場合、又は例えば当該キャリア信号が短い期間遮られた場合、既に開始されている非接触インターフェースを介した情報伝送（通信）は、エネルギ節約処理モードに変わることによって直ちに終了するのではなく、待機時間が経過するのを待つことにより、当該キャリア信号の不意の中断に考慮した情報伝送の不意の終了ではなく当該回路が意図的にキャリア信号の存在範囲から出ているので通常消費処理モードにおいて実際上もはや継続する必要がないことが保証されたときにのみ終了し、バッテリ動作デバイスのために出来る限りサービス寿命を長くすることを保証するためにエネルギ節約処理モードがアクティブ可能となる、という効果を奏する。
【００１８】
本発明によるデータキャリアにおいては、本発明による回路に関連して上述した利点が同様に得られる。
【００１９】
本発明の上述した態様及びその他の態様は、以下に説明する実施例から明らかとなり、当該実施例に基づいて説明する。
【発明を実施するための最良の形態】
【００２０】
以下、本発明を図面に示した実施例に基づいて詳しく説明するが、これに本発明が限定されるものではない。
【００２１】
図１は、本発明の一実施例による回路を有するデータキャリアを概略的に示している。
【００２２】
図１は、ポータブルコンビネーションデバイス、すなわち移動電話機１を示しており、この電話機は、スイッチング段２、入力／出力段３、電話機アンテナ４、バッテリモジュール５及び移動電話機接触フィールド６を有し、当該移動電話機接触フィールド６は、移動電話機１に設置され当該移動電話機から取り外すことの可能な「加入者認識モジュール」（subscriber identification module）又はＳＩＭを接触するために構成されている。移動電話機接触フィールド６は、規格ＩＳＯ７８１６による仕様を充足する。バッテリモジュール５は、移動電話機１の全ての電子的機能についての基準電位ＧＮＤに対しての、移動電話機１を動作させるのに必要な電源電圧Ｖを出力するために設けられた充電可能な蓄電池によって形成される。バッテリモジュール５はさらに、移動電話機接触フィールド６に接触しているので、電源電圧Ｖを移動電話機接触フィールド６を介してＳＩＭに供給することができる。電話機アンテナ４は、スイッチング段２に接続される。スイッチング段２は、電話機アンテナ４を介した電話通信の場合に入力２Ｋにおいて発生するアンテナ信号ＡＳを処理するように構成される。スイッチング段２はさらに、入力／出力段３とともに入力／出力データＩＯＤを交換し処理するようにも構成されており、かかる入力／出力データＩＯＤは、移動電話１の使用中に生じる。スイッチング段２はさらに、移動電話機接触フィールド６と接続されて、移動電話機１におけるＳＩＭとの接触通信の場合において生じる第１データ信号ＤＳ１が移動電話機接触フィールド６を介してＳＩＭと交換され必要な場合はスイッチング段２により処理されることができるようにしている。スイッチング段２はさらに、以下により詳しく説明するように、第１モード切換信号ＭＣ１及び第２モード切換信号ＭＣ２を発生しこれらモード切換信号ＭＣ１及びＭＣ２を移動電話機接触フィールド６を介してＳＩＭに出力するように構成される。
【００２３】
移動電話機１に置かれたＳＩＭは、電気回路８を有するデータキャリア７により形成される。このデータキャリア７はさらに、図１に極めて概略的に示される多数の端子Ｃ１〜Ｃｎを介して回路８に接続されるデータキャリア接触フィールド９を有し、データキャリア接触フィールド９は、移動電話機接触フィールド６と同様に、規格ＩＳＯ７８１６の仕様を充足しもって移動電話機接触フィールド６のものに対応するコンタクトを有する。データキャリア７の回路８はさらに、データキャリア接触フィールド９を介して規格ＩＳＯ７８１６に準じて第１データ信号ＤＳ１を伝送するように構成された第１の通信手段１０を有する。第１通信手段１０及びデータキャリア接触フィールド９は、データキャリア７の接触インターフェース１１を形成する。したがって、回路８は、接触インターフェース１１の少なくとも一部を形成し、かかる一部が回路８の回路部１２に電気的エネルギを供給するために用いられる。
回路部１２は、データ処理手段を形成するマイクロコントローラにより形成される。動作中のこのようなマイクロコントローラは、回路８の他の部分と比較して比較的大量のエネルギを必要とする。したがって、このようなマイクロコントローラのエネルギ消費を比較的に低く保たんとする試みが絶えず行われている。回路部１２は、割込信号処理段１３、メモリ段１４、コプロセッサ段１５及び「中央処理装置」すなわちＣＰＵ段１６を有する。これらの回路段１３ないし１６によって、回路部１２は、第１データ信号ＤＳ１を第１通信手段１０と交換するように構成される。回路部１２はさらに、通常消費処理モード及び通常消費処理モードにおいて必要なものよりも小さいエネルギ消費の、すなわち小さいエネルギしか必要ないエネルギ節約処理モードにおいて第１データ信号ＤＳ１を処理するように構成される。回路部１２はさらに、エネルギ節約処理モードから通常消費処理モードへ第１モード切換信号ＭＣ１を使って、又は通常消費処理モードからエネルギ節約処理モードへ第２モード切換信号ＭＣ２を使って、データキャリア接触フィールド９又は移動電話機接触フィールド６を介してエネルギが供給されるときに、割込信号処理段１３によって切換可能となっている。第１モード切換信号ＭＣ１及び第２モード切換信号ＭＣ２は、接触インターフェース１１を介して（すなわち接触通信の場合に）スイッチング段２によりデータキャリア７又はその回路８に供給可能ないわゆる割込信号であってそれらの重要性の関数として割込信号処理段１３によって処理されることができるものを形成する。本例においては、回路部１２のクロック信号（図１には示されていない）は、第１データ信号ＤＳ１を処理するのに必要なものであり、第１モード切換信号ＭＣ１が存在するときに割込信号処理段１３によりアクティブにされることが可能である。さらに、第２モード切換信号ＭＣ２が存在するときには、回路部１２のクロック信号を非アクティブとすることができ、この結果、回路８のエネルギ消費を通常消費処理モードに比べて格段に減少させることができ、もってバッテリモジュール５が移動電話機１を動作するのに十分なエネルギを提供可能とするサービス寿命又は時間長が延びる。これは、バッテリモジュール５は、エネルギ節約処理モードにおいて回路８に対して相応の少ないエネルギを呈しなければならないことに起因している。データキャリア接触フィールド９を介してデータキャリア７に供給することの可能なモード変換信号ＭＣ１及びＭＣ２は、主としてユーザが入力／出力段３を介して移動電話機１を動作しているという事実の結果としてスイッチング段１２により発生可能である。
【００２４】
データキャリア７はさらに、回路８の外部に配されたデータキャリア通信コイル１８を有する共振回路１７を具備しており、かかるデータキャリア通信コイルは、回路８の他の２つの端子Ｃｘ及びＣｙを介して回路８に接続される。共振回路１７はさらに、回路８内にキャパシタ１９を有しており、このキャパシタは、データキャリア通信コイル１８と並列に接続される。共振回路１７は、データキャリア７の外部からキャリア信号ＴＳを回路８に伝送するように構成される。キャリア信号ＴＳは、固定された通信デバイス、すなわちいわゆる読取局２０によって発生可能である。かかる読取局は、移動電話機１の外側に配され、図１に非常に概略的に示されている。当該読取局は、規格ＩＳＯ１４４４３の仕様に従ってキャリア信号ＴＳを発生するように構成される。キャリア信号ＴＳを発生する手段のうち、読取通信コイル２１だけが読取局２０の内部に示され、当該読取通信コイルは、データキャリア通信コイル１８に誘導結合をなすように設けられ構成される。この２つのコイル２１と１８との間の誘導結合が存在する場合、第２データ信号ＤＳ２は、非接触の通信中にキャリア信号ＴＳによりデータキャリア７と読取局２０との間で交換可能である。この目的のため、回路８は、規格ＩＳＯ１４４４３に従って第２データ信号ＤＳ２を通信するよう構成された第２通信手段２２を有する。共振回路１７及び第２の通信手段２２は、データキャリア７の非接触インターフェース２３を形成する。したがって、回路８は、規格ＩＳＯ１４４４３に準じて非接触インターフェース２３の少なくとも一部を形成し、これにより、キャリア信号ＴＳが受信可能となる。
【００２５】
回路部１２は、第２通信手段２２により、非接触通信中に生じる第２データ信号ＤＳ２を交換するように構成される。回路部１２はさらに、通常消費処理モード及びエネルギ節約処理モードにおいて第２データ信号ＤＳ２を処理するように構成される。
【００２６】
回路８はさらに、非接触インターフェース２３及び回路部１２に接続されるとともに、非接触インターフェース２３を介してキャリア信号ＴＳの受信を検出しキャリア信号ＴＳの受信の検出に応じて第１モード切換信号ＭＣ１を発生しその発生した第１モード切換信号ＭＣ１を回路部１２に出力するように構成されるモード切換信号発生手段２４を有する。このため、モード切換信号発生手段２４は、受信キャリア信号ＴＳが供給可能で、その受信キャリア信号ＴＳの周波数を考慮してキャリア信号ＴＳの受信を検出し当該キャリア信号ＴＳの受信が検出されたことを示す第１指標信号ＳＳ１を発生し出力するよう構成されたキャリア信号周波数検出段２５を有する。さらにモード切換信号発生手段２４は、第１指標信号ＳＳ１を受信するよう構成され、キャリア信号ＴＳの受信が検出されたことが示されると第１モード切換信号ＭＣ１を呈する割込信号を発生するように構成される割込信号発生段２６を有し、当該割込信号が回路部１２の割込信号処理段１３に供給されることを可能としている。
【００２７】
モード切換信号発生手段２４はさらに、キャリア信号ＴＳを受信することからキャリア信号ＴＳを受信しないことへの受信状態変化を検出し、当該受信状態変化が検出されると又は検出されると直ぐに、第２モード切換信号ＭＣ２を回路部１２の割込信号処理段１３に出力するように構成される。このため、モード切換信号発生手段２４は、非接触インターフェース２３の共振回路１７に接続された受信状態変化検出段２７であって受信状態変化を検出し受信状態変化の検出に応じて、当該受信状態変化が検出されたことを示す第２指標信号ＳＳ２を出力するように構成されるものを有する。モード切換信号発生手段２４はさらに、第２指標信号ＳＳ２を受信し、第２モード切換信号ＭＣ２を呈する割込信号を発生し割込信号処理段１３に出力するよう構成された第２割込信号発生段２８を有する。
【００２８】
モード切換信号発生手段２４、特に第２割込信号発生段２８はさらに、受信状態変化の検出の後に待機時間中にキャリア信号ＴＳの新たな受信が検出できなかった場合、すなわちキャリア信号ＴＳを受信しないことからキャリア信号ＴＳを受信することへの新たな受信状態変化がない場合、待機時間だけ遅らせる態様で第２モード切換信号ＭＣ２を出力するように構成される。このため、第２割込信号発生段２８は、キャリア信号ＴＳを受信することから受信しないことへの受信状態変化があった場合に当該待機時間を表すカウンタ値がチャージされるカウンタ段（図１には示されていない）であって、キャリア信号ＴＳを受信することから受信しないことへの受信状態変化の検出の後に、カウンタ値は、当該待機時間経過後すなわち当該カウンタ値が値ゼロを呈するや否やのときまでカウンタクロック信号（図１には示されていない）に応じて周期的に減少させられ、第２モード切換信号ＭＣ２が出力されるようにしたものを有する。
【００２９】
かくして、接触インターフェース１１だけを介した通信を回避しつつ（すなわちユーザが何もすることなく）、第１モード切換信号ＭＣ１を非接触インターフェース２３を介してキャリア信号ＴＳの受信を検出することにより発生することができ、その後に生じるキャリア信号ＴＳの受信から非受信への受信状態変化を検出したときには、第２モード切換信号ＭＣ２を発生することができる、という利点が得られる。これにより、出来る限り多くのエネルギを節約するようにした移動電話機１の動作が達成される。
【００３０】
以下では、データキャリア７及びデータキャリア７に含まれる回路８の機能を、図１に示されるようなデータキャリア７の使用例に基づいて説明する。この使用例において、回路部１２すなわちマイクロコントローラは、接触インターフェース１１を介して受信された第２モード切換信号ＭＣ２によってエネルギ節約処理モードに切り替えられることを考える。また、移動電話機１のユーザは、公共交通機関の手段を使いたいと思っており、移動電話機１と一緒に公共交通機関の手段のアクセス領域においてコントロールゲートを通過するものとする。このコントロールゲートは、図１に示される読取局２０が装備されており、読取局が永続的にキャリア信号ＴＳを発生してキャリア信号ＴＳがコントロールゲート領域に存在するようにしている。キャリア信号ＴＳによって、読取局２０は、第２データ信号ＤＳ２により表される問い合わせコマンドを送信する。この問い合わせコマンドの受信の後、データキャリア７は、ユーザによって比較的に素早く当該コントロールゲートを通過移動させられるので、第２データ信号ＤＳ２により読取局２０への応答を比較的に迅速に通信しなければならない。
【００３１】
ユーザが移動電話機１とともにコントロールゲートに歩み寄ると、すなわちキャリア信号ＴＳの存在範囲に入ると、読取通信コイル２１と非接触インターフェース２３のデータキャリア通信コイル１８との間に誘導結合が生じるので、キャリア信号ＴＳは、回路８に伝送される。その後、エネルギ節約処理モードから通常消費処理モードへのデータキャリア７の回路８の処理モードを変える方法は、データキャリア７又はデータキャリア７の回路８によって実行可能となる。かかる方法は、次の方法ステップを有する。すなわち、非接触インターフェース２３を介したキャリア信号ＴＳの受信ステップと、非接触インターフェース２３を介したキャリア信号ＴＳの受信の検出ステップと、キャリア信号ＴＳの受信の検出に応答した第１モード切換信号ＭＣ１の発生ステップと、発生した第１モード切換信号ＭＣ１を回路部１２へ出力するステップである。キャリア信号ＴＳの受信は、キャリア信号ＴＳの信号周波数を考慮してキャリア信号周波数検出段２５により検出され、キャリア信号ＴＳの検出された受信は、第１指標信号ＳＳ１によって示される。さらに、第１モード切換信号ＭＣ１を表す割込信号は、第１指標信号ＳＳ１の受信を受けて第１割込信号発生段２６により発生され、割込信号処理段１３へ出力される。マイクロコントローラすなわち回路部１２のクロック信号は、その後に割込信号処理段１３によりアクティブとされる。利用可能なクロック信号の結果として、マイクロコントローラにおいては、エネルギ節約処理モードに切り替えられているマイクロコントローラの前に既に開始されたプログラムが続行する。すなわち、ユーザの新たな識別を要することなく、そしてオペレーティングシステムが再開させる必要なく続行する。このプログラムの制御の下、問い合わせコマンドと問い合わせコマンド及びその他の情報に対する応答との双方を表す第２データ信号ＤＳ２は、読取局２０とデータキャリア７との間で交換され、その結果としてメモリ段１４に記憶された運搬クレジット（transport credits）がこの通信の過程で変えられる。非接触インターフェース２３を介した通信中に、コプロセッサ段１５は、第２データ信号ＤＳ２によって交換された情報を暗号化し暗号解読するために用いられる。
【００３２】
ユーザがコントロールゲートを立ち去ると、本方法によれば、キャリア信号ＴＳを受信することからキャリア信号ＴＳを受信しないことへの受信状態変化が検出され、第２モード切換信号ＭＣ２が回路部１２すなわちマイクロコントローラの割込信号処理段１３へ出力される。すなわち、受信状態変化が検出されているときに出力される。回路部１２では、マイクロコントローラのクロック信号がその後に割込信号処理段１３により抑えられ、マイクロコントローラは、これに応じて通常消費処理モードからエネルギ節約処理モードに切り替えられる。本例における受信状態変化の検出後の第２モード切換信号ＭＣ２の出力は、待機時間だけ遅れる形で行われ、この待機時間中は受信状態変化の検出後にキャリア信号ＴＳの新たな受信は検出されない。
【００３３】
結果として、単にキャリア信号ＴＳの受信を検出することにより、移動電話機１によるユーザの意図的又は積極的な相互動作を伴うことなく、回路部１２は、エネルギ節約処理モードから通常消費処理モードに切り換わることができ、通常消費処理モードにおいて、ユーザの影響を受けることのない読取局２０との非接触通信が即座に実行可能となる、という形態が確実に保証される。さらに、ユーザによる動作を伴うこともなく、キャリア信号ＴＳの存在範囲から出ると、通常消費処理モードが維持され、受信状態がキャリア信号ＴＳを受信することからキャリア信号ＴＳを受信しないことへ切り換わるとエネルギ節約処理モードに切り換わることを確実に達成する。
【００３４】
なお、非接触インターフェース２３は、第２データ信号ＤＳ２を通信するために規格ＩＳＯ１５６９３若しくはＩＳＯ１８０００又はＥＣＭＡ３４０に準じて構成するようにしてもよい。
【００３５】
また、非接触インターフェース２３も、容量的な態様で通信するように構成しもよい。
【００３６】
さらに、エネルギ節約処理モードも、多数のサブエネルギ節約処理モードを有してもよいし、例えば、キャリア信号ＴＳの信号強度の関数として、サブエネルギ節約処理モードから通常消費処理モードへ段階的な遷移をなしたり、或いは通常消費処理モードからサブエネルギ節約処理モードへ段階的な遷移をなしたりしてもよい。かかるサブエネルギ節約処理モードは、この場合、回路８により消費されるエネルギ量を変化させることによって規定され、このエネルギ量は、通常消費処理モードにおいて消費されるエネルギ量よりも小さいものとされる。このようなサブエネルギ節約処理モードは、例えば「パワーダウンモード」、「アイドルモード」又は「クロック停止モード」といった用語によって当業者に知られている。
【００３７】
さらに、エネルギ節約処理モードにより作用を受ける回路８の回路部は、第１通信手段１０及び／又は第２通信手段２２を含んでもよく、或いは当該手段によって形成されるようにしてもよい。
【００３８】
また、２つのモード切換信号ＭＣ１及びＭＣ２は、割込信号処理段１３とは独立してクロック信号発生手段に供給されるようにしてもよい。この接続においてさらに注記すべきは、かかる２つのモード切換信号ＭＣ１及びＭＣ２が回路８の個々の回路部に直接供給されるようにしてもよいことである。
【図面の簡単な説明】
【００３９】
【図１】本発明の一実施例による回路を有するデータキャリアを示す概略図。
【図１】
2007519296.tif 000003
【国際調査報告】
2007519296.tif 000004
2007519296.tif 000005
2007519296.tif 000006